(57)【特許請求の範囲】
【請求項１】
ユーザに対する操作案内を表示する表示部と、
原稿を給紙する原稿給紙部と、
前記原稿給紙部によって搬送されてくる前記原稿の一方の面を読み取る第１読取部と、
前記原稿給紙部によって搬送されてくる前記原稿の他方の面を読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部により前記原稿の一方の面を読み取り、前記反転部による当該原稿の反転後に、前記第１読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、
前記原稿給紙部にセットされた原稿についての前記両面反転読取モード及び前記両面同時読取モードによる各原稿読取所要時間を検知する原稿読取所要時間検知部とを備え、
前記制御部は、前記原稿読取所要時間検知部によって検知された前記両面反転読取モード及び前記両面同時読取モードによる各原稿読取所要時間を前記表示部に表示させる画像読取装置。
【請求項２】
前記両面反転読取モード及び両面同時読取モードによる各原稿読取所要時間を前記表示部に表示させる所要時間表示指示をユーザから受け付ける所要時間表示指示受付部を備え、
前記制御部は、前記所要時間表示指示受付部に前記所要時間表示指示が受け付けられた場合に、前記検知された前記両モードの各原稿読取所要時間を前記表示部に表示させる請求項１に記載の画像読取装置。
【請求項３】
前記原稿読取所要時間検知部は、前記原稿給紙部にセットされた原稿の厚さを検出する原稿厚さ検出部と、当該原稿厚さ検出部によって検出された原稿厚さに対応する前記両面反転読取モード及び前記両面同時読取モードでの各原稿読取所要時間を算出する所要時間検出部とを備える請求項１又は請求項２に記載の画像読取装置。
【請求項４】
前記原稿給紙部は、原稿が載置される原稿載置台と、当該原稿給紙部に載置された原稿を１枚ずつ取り込むピックアップローラと、原稿載置台上の原稿をピックアップローラに押し当てるために原稿載置台を昇降させる昇降部材と、当該昇降部材を昇降動作させる駆動モータと、当該駆動モータの回転数を検出する回転検出部とを備え、
前記原稿厚さ検出部は、前記回転検出器によって検出された前記駆動モータの回転数に基づいて前記原稿載置台上の原稿の厚みを検出し、
前記所要時間検出部は、前記原稿厚さ検出部によって検出された前記原稿載置台上の原稿の厚みと、ユーザによって入力される原稿種類とから算出した前記原稿載置台上の原稿の原稿枚数に基づいて、前記両面反転読取モード及び両面同時読取モードによる前記原稿載置台上の原稿の各原稿読取所要時間を検出する請求項３に記載の画像読取装置。
【請求項５】
原稿読取開始の指示をユーザから受け付ける読取開始指示受付部と、
前記両面反転読取モード又は両面同時読取モードのいずれかを選択するモード選択指示をユーザから受け付けるモード選択指示受付部とを更に備え、
前記制御部は、前記両面反転読取モード又は両面同時読取モードの各原稿読取所要時間を前記表示部に表示させた後、前記モード選択指示受付部に前記いずれかのモードを選択するモード選択指示が受け付けられ、前記読取開始指示受付部に前記原稿読取開始の指示が受け付けられた場合、当該選択されたモードでの原稿読取動作を前記原稿給紙部、第１読取部、第２読取部及び反転部のうちの所要各部に行わせる請求項１乃至請求項４のいずれかに記載の画像読取装置。
【請求項６】
前記第１読取部は、縮小光学系イメージセンサにより前記原稿の一方の面を読み取り、
前記第２読取部は、密着光学系イメージセンサにより前記原稿の一方の面を読み取る請求項１乃至請求項５のいずれかに記載の画像読取装置。
【請求項７】
請求項１乃至請求項６のいずれかに記載の画像読取装置と、
前記第１読取部及び第２読取部に読み取られた読取画像のデータに基づいて画像を記録紙に形成する画像形成部と
を備えた画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等の画像形成装置では、自動原稿送り装置（ＡＤＦ：Automatic Document Feeder）を備えた画像読取装置によって、原稿の表面及び裏面を自動的に読み取っている。この原稿読取では、原稿の表面の画像をイメージセンサが読み取った後、その原稿の表裏を反転させて、原稿裏面の画像を再度イメージセンサが読み取る方式が広く採用されている。
【０００３】
さらには、下記特許文献１に示されるように、原稿トレイからの原稿搬送路において原稿の表裏両面側にそれぞれイメージセンサを設けることで、原稿を反転させることなく１回の原稿搬送（ワンパス）で原稿両面をほぼ同時に読み取る方式を採用した画像形成装置が知られている。この原稿両面をほぼ同時に読み取る方式を採用する画像形成装置では、原稿の一方の面の読み取りは装置本体側に配設された縮小光学系イメージセンサで行い、原稿の他方の面の読み取りは、設置スペース、コスト等の関係上、自動原稿送り装置側に配設された密着光学系イメージセンサで行う場合が多い。
【０００４】
上記特許文献１に示された画像形成装置のように、原稿の表裏面を読み取るイメージセンサの光学的構成が異なると、それぞれに用いられる光源やレンズアレイ等の相違により読取画像の画質に差が生じる。また、この読取画像の画質差が、記録紙の表裏面に形成される画像の画質の差となって現れる。そのため、このような画像形成装置においては、記録紙の表裏面の画質を同一にするために、１枚の原稿を反転させて２度同じイメージセンサ（縮小光学系イメージセンサ）に搬送して当該イメージセンサで原稿の表裏面を読み取らせる両面反転読取モードと、画像の読取時間を短縮するために原稿の表裏面を縮小光学系と密着光学系の２つのイメージセンサを用いてほぼ同時に読み取らせる両面同時読取モードの２つのモードを設けて、ユーザが所望のモードを選択できるようになっている。
【特許文献１】特開２００７−８２０３３号公報
【発明の開示】
【発明が解決しようとする課題】
【０００５】
上述したように、両面反転読取モードは、原稿を反転して同じイメージセンサ（縮小光学系イメージセンサ）に再搬送する必要があり、両面同時読取モードは、原稿の表裏面を２つのイメージセンサを用いてほぼ同時に読み取るため、両モードの各原稿読取時間が相違する。しかし、ユーザは、両面反転読取モード又は両面同時読取モードによる各原稿読取時間がどの程度異なるかを予測することが困難であるため、読取画像品質及び読取所要時間の両方の観点から、両面反転読取モード又は両面同時読取モードのいずれのモードで原稿読取を行うのが最適かを判断することが難しかった。
【０００６】
本発明は、上記の問題を解決するためになされたものであり、ユーザが両面反転読取モード及び両面同時読取モードによる各原稿読取所要時間を容易に把握できるようにすることを目的とする。
【課題を解決するための手段】
【０００７】
本発明の請求項１に記載の発明は、ユーザに対する操作案内を表示する表示部と、
原稿を給紙する原稿給紙部と、
前記原稿給紙部によって搬送されてくる前記原稿の一方の面を読み取る第１読取部と、
前記原稿給紙部によって搬送されてくる前記原稿の他方の面を読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部により前記原稿の一方の面を読み取り、前記反転部による当該原稿の反転後に、前記第１読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、
前記原稿給紙部にセットされた原稿についての前記両面反転読取モード及び前記両面同時読取モードによる各原稿読取所要時間を検知する原稿読取所要時間検知部とを備え、
前記制御部は、前記原稿読取所要時間検知部によって検知された前記両面反転読取モード及び前記両面同時読取モードによる各原稿読取所要時間を前記表示部に表示させる画像読取装置である。
【０００８】
この発明によれば、原稿読取所要時間検知部が検知した両面反転読取モード及び両面同時読取モードによる各原稿読取所要時間を、制御部が表示部に表示させるので、ユーザは、当該表示部に表示された両モードの各原稿読取所要時間に基づいて、両面反転読取モード又は両面同時読取モードによる各原稿読取時間がどの程度異なるかを把握できる。これにより、ユーザは、各モードでの読取画像品質及び読取所要時間の観点から、いずれのモードで原稿読取を行うのが最適かを容易に判断することができる。
【０００９】
また、請求項２に記載の発明は、請求項１に記載の画像読取装置であって、前記両面反転読取モード及び両面同時読取モードによる各原稿読取所要時間を前記表示部に表示させる所要時間表示指示をユーザから受け付ける所要時間表示指示受付部を備え、
前記制御部は、前記所要時間表示指示受付部に前記所要時間表示指示が受け付けられた場合に、前記検知された前記両モードの各原稿読取所要時間を前記表示部に表示させるものである。
【００１０】
この発明によれば、所要時間表示指示受付部にユーザからの所要時間表示指示が受け付けられた場合に、制御部が両モードの各原稿読取所要時間を表示部に表示させるので、ユーザは、両モードの各原稿読取所要時間の表示の要不要に応じて、両モードの各原稿読取所要時間を表示部に表示させるか否かを切り替えることができる。
【００１１】
また、請求項３に記載の発明は、請求項１又は請求項２に記載の画像読取装置であって、前記原稿読取所要時間検知部は、前記原稿給紙部にセットされた原稿の厚さを検出する原稿厚さ検出部と、当該原稿厚さ検出部によって検出された原稿厚さに対応する前記両面反転読取モード及び前記両面同時読取モードでの各原稿読取所要時間を算出する所要時間検出部とを備えるものである。
【００１２】
この発明によれば、所要時間検出部が、原稿厚さ検出部によって検出された原稿厚さに対応する上記両モードの各原稿読取所要時間を算出することで、上記両モードの各原稿読取所要時間を検知するので、原稿給紙部にセットされた原稿の枚数に応じて変化する原稿厚さに応じて正確に上記両モードの各原稿読取所要時間を検知することができる。
【００１３】
また、請求項４に記載の発明は、請求項３に記載の画像読取装置であって、前記原稿給紙部は、原稿が載置される原稿載置台と、当該原稿給紙部に載置された原稿を１枚ずつ取り込むピックアップローラと、原稿載置台上の原稿をピックアップローラに押し当てるために原稿載置台を昇降させる昇降部材と、当該昇降部材を昇降動作させる駆動モータと、当該駆動モータの回転数を検出する回転検出部とを備え、
前記原稿厚さ検出部は、前記回転検出器によって検出された前記駆動モータの回転数に基づいて前記原稿載置台上の原稿の厚みを検出し、
前記所要時間検出部は、前記原稿厚さ検出部によって検出された前記原稿載置台上の原稿の厚みと、ユーザによって入力される原稿種類とから算出した前記原稿載置台上の原稿の原稿枚数に基づいて、前記両面反転読取モード及び両面同時読取モードによる前記原稿載置台上の原稿の各原稿読取所要時間を検出するものである。
【００１４】
この発明によれば、原稿厚さ検出部が、回転検出器によって検出された駆動モータの回転数に基づいて原稿載置台上の原稿の厚みを検出し、所要時間検出部が、当該検出された原稿厚みと、ユーザによって入力される原稿種類とから算出した原稿枚数に基づいて、両面反転読取モード及び両面同時読取モードによる各原稿読取所要時間を検出するので、原稿載置台に載置された原稿の枚数を正確に検出して、上記両モードによる各原稿読取所要時間を的確に検出することができる。
【００１５】
また、請求項５に記載の発明は、請求項１乃至請求項４のいずれかに記載の画像読取装置であって、原稿読取開始の指示をユーザから受け付ける読取開始指示受付部と、
前記両面反転読取モード又は両面同時読取モードのいずれかを選択するモード選択指示をユーザから受け付けるモード選択指示受付部とを更に備え、
前記制御部は、前記両面反転読取モード又は両面同時読取モードの各原稿読取所要時間を前記表示部に表示させた後、前記モード選択指示受付部に前記いずれかのモードを選択するモード選択指示が受け付けられ、前記読取開始指示受付部に前記原稿読取開始の指示が受け付けられた場合、当該選択されたモードでの原稿読取動作を前記原稿給紙部、第１読取部、第２読取部及び反転部のうちの所要各部に行わせるものである。
【００１６】
この発明によれば、ユーザは、表示部に表示された両モードの各原稿読取所要時間に基づいて、両面反転読取モード又は両面同時読取モードのいずれのモードで原稿読取を行うのが最適かを判断した後、容易に所望のモードで原稿読取を行わせることができる。
【００１７】
また、請求項６に記載の発明は、請求項１乃至請求項５のいずれかに記載の画像読取装置であって、前記第１読取部は、縮小光学系イメージセンサにより前記原稿の一方の面を読み取り、
前記第２読取部は、密着光学系イメージセンサにより前記原稿の一方の面を読み取るものである。
【００１８】
この発明によれば、上記原稿両面の読み取りに用いられる第１読取部が縮小光学系イメージセンサであるため、表裏反転により原稿両面を第１読取部で読み取るようにすれば、原稿両面の読取画像の色味に違いを生じさせず、カラー画像を高品質で読み取ることができる。さらに、原稿の他方面を読み取る第２読取部が密着光学系イメージセンサであるため、当該第２読取部を、縮小光学系イメージセンサ配設時のような大きなスペースを要さずに比較的小さなスペースで配設できる。
【００１９】
また、請求項７に記載の発明は、請求項１乃至請求項６のいずれかに記載の画像読取装置と、
前記第１読取部及び第２読取部に読み取られた読取画像のデータに基づいて画像を記録紙に形成する画像形成部と
を備えた画像形成装置である。
【００２０】
この発明によれば、請求項１乃至請求項６のいずれかに記載の発明によって得られる作用を奏する。
【発明の効果】
【００２１】
本発明によれば、ユーザは、当該表示部に表示された両モードの各原稿読取所要時間に基づいて、両面反転読取モード又は両面同時読取モードによる各原稿読取時間がどの程度異なるかを把握でき、各モードでの読取画像品質及び読取所要時間の観点から、いずれのモードで原稿読取を行うのが最適かを容易に判断することができる。
【発明を実施するための最良の形態】
【００２２】
以下、本発明の一実施形態に係る画像読取装置及び画像形成装置について図面を参照して説明する。尚、以下の実施形態では、本発明における画像読取装置及び画像形成装置を、カラーコピー、スキャナ、ファクシミリ、プリンタ等の機能を備えた複合機に集約した形態を例に説明する。
【００２３】
図１は本発明に係る画像形成装置の一実施形態である複合機１の内部構成を模式的に示した縦断面図である。複合機１は、画像読取装置２と装置本体３とを備える。画像読取装置２は、原稿給紙部２１とスキャナ部２２とＣＩＳ２３１と操作部５と、更に後述する反転機構及び制御部６１を備えてなる。原稿給紙部２１はＡＤＦ（Automatic Document Feeder）を備え、原稿載置台２１１、ピックアップローラ２１２、搬送ドラム２１３、排紙ローラ２１４及び排紙トレイ２１５を有する。原稿載置台２１１には、読取対象とされる原稿が載置される。原稿載置台２１１に載置された原稿は１枚ずつピックアップローラ２１２によって取り込まれて搬送ドラム２１３へ搬送される。搬送ドラム２１３を経由した原稿は排紙ローラ２１４によって排紙トレイ２１５へ排出される。
【００２４】
スキャナ部（第１読取部）２２は、原稿の画像を光学的に読み取って画像データを生成するものである。スキャナ部２２は、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９、第２ミラー２２４、第３ミラー２２５、第１キャリッジ２２６、第２キャリッジ２２７、結像レンズ２２８を備える。このスキャナ部２２は、光源２２２として冷陰極蛍光管等の白色蛍光ランプが用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。スキャナ部２２は、光源２２２として冷陰極蛍光管等の白色蛍光ランプを用いていることから、光源として３色ＬＥＤ等が用いられる後述のＣＩＳ２３１よりも色再現性に優れる。
【００２５】
プラテンガラス２２１には、上記原稿給紙部２１によらない原稿読取時に、ユーザの手動により原稿が載置される。プラテンガラス２２１は、光源２２２及び第１ミラー２２３は第１キャリッジ２２６によって支持され、第２ミラー２２４及び第３ミラー２２５は第２キャリッジ２２７によって支持されている。
【００２６】
画像読取装置２の原稿読取方式としては、プラテンガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。第１キャリッジ２２６及び第２キャリッジ２２７は、主走査方向と直交する方向（副走査方向、矢印Ｙ方向）に移動可能に構成されており、１ライン分の読み取りが終了すると、当該主走査方向と直交する方向に第１キャリッジ２２６及び第２キャリッジ２２７が移動し、次のラインの読み取りが行われる。
【００２７】
ＡＤＦ読取モードでは、原稿給紙部２１が、原稿載置台２１１に載置された原稿がピックアップローラ２１２によって１枚ずつ取り込む。このとき、第１キャリッジ２２６及び第２キャリッジ２２７は、読取窓２３０の下方位置に配置される。原稿給紙部２１による原稿搬送で、原稿が搬送ドラム２１３から排紙トレイ２１５への搬送経路に設けられた読取窓２３０上を通過するとき、光源２２２が原稿を照射し、主走査１ライン分の反射光が第１ミラー２３３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００２８】
更に、原稿給紙部２１は切換ガイド２１６、反転ローラ２１７及び反転搬送路２１８からなる反転機構（反転部）を有する。この反転機構が、１回目のＡＤＦ読み取りによって表面（原稿の一方の面）がスキャナ部２２に読み取られた原稿を表裏反転させて読取窓２３０（スキャナ部２２）に再搬送することで、再度スキャナ部２２によって裏面（原稿の他方の面）の読み取りが行わせる。この反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７によって反転搬送路２１８へ搬送される。その後、切換ガイド２１６は上側へ切り替わり、反転ローラ２１７が逆回転して原稿を搬送ドラム２１３へ再給紙する。以下、反転機構を用いて原稿の両面を読み取らせるモードを両面反転読取モード又は高画質モードと表記する。
【００２９】
更に、本実施形態の画像読取装置２は、ＡＤＦ読取モード時において、上記で説明したように原稿の搬送途中でスキャナ部２２（ＣＣＤ２２９）によって原稿の表面の読み取りを行わせると同時に、ＣＩＳ（第２読取部）２３１によって原稿の裏面の読み取りを行わせることが可能である。この場合、原稿載置台２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。このようにＣＣＤ２２９とＣＩＳ２３１を用いることで、原稿給紙部２１による原稿載置台２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モード又は高速モードと表記する。
【００３０】
ここで、高画質モード（両面反転読取モード）と高速モード（両面同時読取モード）について説明する。高画質モードでは原稿両面の読み取りが同じイメージセンサ（ＣＣＤ２２９）によって行われるため、取得した画像データに基づいて両面印刷を行っても、両面の印刷画像の画質に差はない。しかし、高速モードでは原稿の表面はＣＣＤ２２９、裏面はＣＩＳ２３１という異なるイメージセンサで読み取りが行われるため、特にカラー原稿の場合、それぞれのイメージセンサが取得した画像データに基づいて両面印刷を行うと、両面の印刷画像の画質に差が生じる。これは、ＣＣＤ２２９、ＣＩＳ２３１が原稿読み取りの際に用いる上述した光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質差の原因となっていると考えられる。
【００３１】
従って、本実施形態の複合機１においては、上記画質差の発生を解決するために、ＡＤＦ読取モードを用いて原稿の両面読み取りを行う際、ユーザは高画質モード（両面反転読取モード）又は高速モード（両面同時読取モード）の何れかを選択することができるようになっている。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）とする等、ユーザは状況に応じてモードを選択することができる。
【００３２】
さらに、複合機１は、装置本体３と、装置本体３の左方に配設されたスタックトレイ６とを有している。装置本体３は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。また、手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３３】
記録部（画像形成部）４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、記録部４０を通過した記録紙をスタックトレイ６又は排出トレイ４８まで搬送する搬送ローラ４６３，４６４等が設けられている。
【００３４】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ６又は排出トレイ４８に排出する。
【００３５】
また、装置本体３の前方には、ユーザが操作画面や各種メッセージ等を視認することができる表示部や、種々の操作命令を入力するための操作ボタンを有する操作部（モード選択指示受付部）５が備えられている。図２は操作部５の正面図の一例である。この操作部５は、表示部（表示部）５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーサーに対する操作案内画面が表示される。この表示部５１はタッチパネル５２と一体的に形成されている。タッチパネル５２は、ユーザによるタッチ操作がなされたら、タッチ位置を検知して検知信号を、後述する制御部へ出力するものである。
【００３６】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００３７】
原稿給紙部２１の原稿載置台２１１に設けられた昇降部材の駆動機構について説明する。図３は、図１に示す複写機の原稿給紙部２１の一例を示す斜視図である。この図は、図１に示す側面図において、原稿給紙部２１の上方の奥側（非操作側）に視点がある場合の斜視図である。原稿載置台２１１は、原稿搬送方向における原稿先端側の原稿端部が載置され、昇降自在に構成された昇降部材２０１を備えている。
【００３８】
原稿給紙部２１には、昇降部材２０１を昇降させる駆動モータ２０２が配設されている。昇降部材２０１の操作側（図２の奥側）及び奥側（図２の手前側）の端面には、駆動モータ２０２からの動力を伝達するラックアンドピニオン機構を構成するラック２０３ａ〜２０３ｄが昇降部材２０１の側面に溶接等で固定されて配設されている。原稿給紙部２１の操作側（図２の奥側）及び非操作側（図２の手前側）の端面には、ラック２０３ａ〜２０３ｄとそれぞれ噛合するピニオン２０４ａ〜２０４ｄが配設されている。
【００３９】
また、ピニオン２０４ａと２０４ｂとが噛合し、ピニオン２０４ｃと２０４ｄとが噛合するように配設されている。更に、ピニオン２０４ａと２０４ｃとは、同期して回転するべく連結軸２０５ａで連結され、ピニオン２０４ｂと２０４ｄとは、同期して回転するべく連結軸２０５ｂで連結されている。このようにして、ピニオン２０４ａ〜２０４ｄは、同期して回転可能に構成されている。
【００４０】
駆動モータ２０２からの駆動力は、図示省略の連結歯車等を介してピニオン２０４ａに伝達され、ピニオン２０４ａ〜２０４ｄが上述のように同期して回転可能に構成されているため、ピニオン２０４ｂ〜２０４ｄに伝達される。ピニオン２０４ａ〜２０４ｄが、駆動モータ２０２からの駆動力により回転されると、ラック２０３ａ〜２０３ｄが昇降され、昇降部材２０１が昇降する。
【００４１】
また、駆動モータ２０２の回転軸には、回転数を検出する回転検出器（図略）が配設され、後述する制御部６１（原稿読取所要時間検知部６１３）に検出信号が入力される。更に、原稿給紙部２１の適所には、原稿の有無を検出するフォトセンサ等からなる原稿検出器（図示省略）が配設されており、原稿検出器によって原稿が載置されたことが検出されると、制御部６１が駆動モータ２０２に対して駆動指示信号を出力し、ピニオン２０４ａ〜２０４ｄ、連結軸２０５ａ、２０５ａ、ラック２０３ａ〜２０３ｄを介して昇降部材２０１が上昇される。
【００４２】
そして、ピックアップローラ２１２の周面に、昇降部材２０１に載置された原稿が押し当てられた状態となり駆動モータ２０２が過負荷となると、制御部６１は駆動モータ２０２の回転を停止させ、昇降部材２０１が上昇停止する。これにより、昇降部材２０１は載置された原稿の厚さ（原稿が複数枚からなる場合は原稿束。以下、単に原稿と表記する）に応じた分だけ上昇し、昇降部材２０１に載置された原稿は、その最上部の原稿からピックアップローラ２１２によって１枚ずつピックアップ可能な状態となる。昇降部材２０１の上昇開始から上昇停止するまでの駆動モータ２０２の回転数（パルス数）は、上記回転検出器がその検出信号を原稿読取所要時間検知部６１３（後述）に出力する。
【００４３】
図４は、複合機１の電気的構成を示すブロック図である。図５は、原稿読取所要時間検知部の構成を示すブロック図である。尚、図１及び図２に示した各部と同一のものには同符号を付して詳細な説明は省略する。
【００４４】
複合機１は、制御部６１、原稿給紙部２１、スキャナ部２２、ＣＩＳ２３１、操作部５、画像処理部６４、記録部４０及び通信部６６を備えて構成される。
【００４５】
制御部６１は、複合機１の全体動作制御を司るものであり、ＣＰＵ等によって構成される。上記原稿給紙部２１、スキャナ部２２、ＣＩＳ２３１、操作部５、画像処理部６４、記録部４０及び通信部６６は、制御部６１による制御の下で動作する。制御部６１は、ユーザから操作部５に入力された各種の指示信号等に応じて、図略のＲＯＭ又はＨＤＤに記憶されている動作制御プログラムに基づいた処理を実行し、各機能部への指示信号の出力、データ転送等を行って複合機１を統括的に制御する。また、制御部６１は、後述する両面反転読取モード及び両面同時読取モードによる各原稿読取所要時間を表示部５１に表示させるために必要な動作制御を行う。
【００４６】
制御部６１は、モード設定部６１１を有する。モード設定部６１１は、上述した両面反転読取モード及び両面同時読取モードのそれぞれのモードでの、原稿給紙部２１、スキャナ部２２（ＣＣＤ２２９）、ＣＩＳ２３１及び反転機構のうちの所要各部による予め定められた動作及び動作制御を記憶している。モード設定部６１１は、ユーザによる操作部５の操作で入力される両面反転読取モード又は両面同時読取モードのいずれかを選択するモード選択指示に従って、上記所要各部に両面反転読取モード又は両面同時読取モードのいずれの動作を行わせるかを設定するものである。制御部６１は、当該モード設定部６１１によって設定されたモードで、上記所要各部を動作させる。
【００４７】
また、制御部６１は、原稿読取所要時間検知部６１３を有する。原稿読取所要時間検知部６１３は、原稿給紙部２１にセットされた原稿についての両面反転読取モード及び両面同時読取モードによる各原稿読取所要時間を検知する処理を行う。この原稿読取所要時間検知部６１３は、原稿厚さ検出部６１４と、所要時間検出部６１５とを備える。
【００４８】
原稿厚さ検出部６１４は、駆動モータ２０２の回転軸の回転数を検出する上記回転検出器から送られてくる検出信号に基づいて、昇降部材２０１の上昇開始から上昇停止までの駆動モータ２０２の回転数（パルス数）をカウントし、当該カウントした回転数から原稿の厚さを検出する。原稿厚さ検出部６１４は、例えば、昇降部材２０１の上昇開始から上昇停止までの駆動モータ２０２の各回転数と、これに対応する各原稿厚さとの対応関係を記憶するテーブルを有し、カウントした回転数に対応する原稿厚さを当該テーブルから読み出すことで、原稿厚さを検出する。なお、原稿厚さ検出部６１４は、駆動モータ２０２と図２に示すラック２０３ａ〜２０３ｄとの間に介設されて駆動モータ２０２からの駆動力を伝達する部材である連結歯車、ピニオン２０４ａ〜２０４ｄ等のギア比等によって決定する駆動モータ２０２の１回転に伴うラック２０３ａ〜２０３ｄの上昇量（＝昇降部材２０１の上昇量）α（ｍｍ）を用いて、次の（１）式を用いて原稿の厚さＴＨ（ｍｍ）を求めるようにしてもよい。
ＴＨ＝α×ＴＮ      （１）
【００４９】
所要時間検出部６１５は、原稿種類特定部６１５１と、単位原稿厚記憶部６１５２と、所要時間算出部６１５３とを備える。原稿種類特定部６１５１は、操作部５を介したユーザからの原稿種類を指定する操作指示に基づいて、原稿給紙部２１にセットされて読取対象となっている原稿の種類（普通紙、厚紙、ＯＨＰ用紙等）を特定する。例えば、制御部６１が表示部５１に原稿種類を入力させる画面を表示させ、原稿種類特定部６１５１は、ユーザによるタッチパネル５２の操作で入力される原稿種類の指定指示を受け付け、当該指示が示す原稿種類を、原稿載置台２１１に載置されている原稿の種類として特定する。
【００５０】
単位原稿厚記憶部６１５２は、原稿１枚分の厚さである単位原稿厚を各原稿種類別にそれぞれ記憶する。
【００５１】
所要時間算出部６１５３は、原稿種類特定部６１５１によって特定された原稿種類に対応する単位原稿厚を単位原稿厚記憶部６１５２から読み出し、原稿厚さ検出部６１４によって検出された原稿厚さＴＨと、単位原稿厚記憶部６１５２に格納された単位原稿厚ΔＴＨとを用いて、次の（２）式により原稿枚数ＣＮを求める。
ＣＮ＝ＴＨ／ΔＴＨ      （２）
【００５２】
例えば、原稿の厚さＴＨが、５ｍｍで、単位原稿厚ΔＴＨが０．１ｍｍである場合には、原稿枚数ＣＮは５０枚（＝５／０．１）となる。更に、所要時間算出部６１５３は、１枚の原稿の両面を両面反転読取モードで読み取るために必要な時間ｔ１、１枚の原稿の両面を両面同時読取モードで読み取るために必要な時間ｔ２を予め記憶している。所要時間算出部６１５３は、上記算出した原稿枚数ＣＮと、１枚の原稿の両面を両面反転読取モードで読み取るために必要な時間ｔ１、１枚の原稿の両面を両面同時読取モードで読み取るために必要な時間ｔ２を用いて、次の（３）式により、原稿載置台２１１に載置された原稿についての両面反転読取モードによる各原稿読取所要時間Ｔ１を算出し、（４）式により、原稿載置台２１１に載置された原稿についての両面同時読取モードによる各原稿読取所要時間Ｔ２を算出する。
Ｔ１＝ｔ１×ＣＮ      （３）
Ｔ２＝ｔ２×ＣＮ      （４）
【００５３】
なお、所要時間検出部６１５による上記両モードでの各原稿読取所要時間の検出方法は上記に限定されない。例えば、所要時間検出部６１５は、上記駆動モータ２０２の回転数（パルス数）と原稿種類との各組合せに対応する両面反転読取モードによる各原稿読取所要時間Ｔ１及び両面同時読取モードによる各原稿読取所要時間Ｔ２を予め記憶しているテーブルを備えておき、駆動モータ２０２の回転数（パルス数）と原稿種類の情報が得られたときにその組合せに対応する原稿読取所要時間Ｔ１，Ｔ２を上記テーブルから読み出すようにしてもよい。
【００５４】
原稿給紙部２１は、ＡＤＦ読取モードで原稿のコピーやスキャンが行われる際に、原稿載置台２１１に載置された原稿を自動的に取り込んで、スキャナ部２２（ＣＣＤ２２９）やＣＩＳ２３１による原稿の読み取りが可能なように搬送する。
【００５５】
表示部５１は、ユーザに対する操作案内を示す各種画面を表示する。表示部５１は、制御部６１から入力される表示信号に基づいて表示画面を表示する。
【００５６】
画像処理部６４は、画像データに関する各種画像処理を行うものである。例えば、画像処理部６４は、スキャナ部２２（ＣＣＤ２２９）又はＣＩＳ２３１によって取得された画像データや、ネットワーク接続されたパーソナルコンピュータ、公衆回線で接続されたファクシミリ装置等から通信部６６を介して転送されてくる画像データに対して、レベル補正、ガンマ補正等の補正処理、画像データの圧縮又は伸長処理、拡大又は縮小処理などの画像加工処理を行う。
【００５７】
記録部４０は、スキャナ部２２（ＣＣＤ２２９）又はＣＩＳ２３１によって得られた画像データや、上記パーソナルコンピュータやファクシミリ装置等から通信部６６を介して転送された画像データに基づいた画像を記録紙に形成する。
【００５８】
通信部６６は、ネットワークインターフェースを用い、ネットワークを介して接続されたコンピュータやファクシミリ装置等の外部装置との間で種々のデータの送受信を行うものである。
【００５９】
次に、複合機１による原稿読取処理の第１実施形態を説明する。図６は、複合機１による原稿読取処理の第１実施形態を示すフローチャートである。図７〜図１１は、表示部５１の画面例を示したものである。なお、以下の説明では、スキャナ部２２をＣＣＤ２２９として表示する。
【００６０】
例えば、ユーザによりフェイスアップ状態に揃えられた原稿が原稿載置台２１１に載置され、ユーザによる操作部５の操作により、複合機１のコピー機能が選択されると、制御部６１は、図７に示すようなコピー機能時の標準画面を表示部５１に表示させる。この標準画面において、ユーザによって機能リストキー１０１が押下されると、制御部６１は、図８に示すような機能リスト画面を表示部５１に表示させる。更にユーザによって両面／分割キー１０２が押下されると、制御部６１は、図９に示すような両面／分割画面を表示部５１に表示させる。なお、上記各画面に表示されるキー、及び以下に示す各画面で表示されるキーは、タッチパネル機能によりユーザからの指示の入力を受け付ける。
【００６１】
図９に示す両面／分割画面では、複数の原稿の片面を読み取って片面印刷する指示の入力を受け付けるキー１０３、原稿の片面を読み取って両面印刷する指示の入力を受け付けるキー１０４、原稿の両面を読み取って片面印刷する指示の入力を受け付けるキー１０５、原稿の両面を読み取って両面印刷する指示の入力を受け付けるキー１０６、見開き原稿を読み取って片面印刷する指示の入力を受け付けるキー１０７、見開き原稿を読み取って両面印刷する指示の入力を受け付けるキー１０８等の設定キーが、制御部６１によって表示される。
【００６２】
この図９に示す両面／分割画面で、例えばキー１０３等がユーザによる操作部５の操作で選択され、原稿給紙部２１にセットされている各原稿の片面のみを読み取る指示がキー１０３等に受け付けられると（Ｓ１でＹＥＳ）、制御部６１は、原稿給紙部２１及びＣＣＤ２２９に原稿片面（表面）の読取動作を行わせる。すなわち、制御部６１は原稿給紙部２１に対して原稿の取り込みを指示する信号を出力して、原稿給紙部２１に原稿載置台２１１に載置された原稿を取り込ませ（Ｓ１６）、原稿給紙部２１はＣＣＤ２２９が下方に配置される読取窓２３０に向けて原稿を搬送する。このとき、原稿給紙部２１は、原稿の最上部の原稿から給紙する。そして、ＣＣＤ２２９が読取窓２３０下方で原稿の表面を読み取る（Ｓ１７）。原稿給紙部２１は、当該表面読取後の原稿を排紙トレイ２１５に排紙する（Ｓ１２）。制御部６１は、Ｓ１６，Ｓ１７，Ｓ１２の処理を、原稿載置台２１１に載置されている全ての原稿に対して繰り返し、各原稿表面の画像データに基づく画像形成処理を行う（Ｓ１３）。
【００６３】
一方、表示部５１に図９に示す上記両面／分割画面が表示されているときに、例えばキー１０６がユーザによる操作部５の操作で選択され、原稿載置台２１１に載置された原稿の両面を読み取る指示がキー１０６等に受け付けられると（Ｓ１でＮＯ）、制御部６１は、図１０に示すように、当該両面／分割画面において、表示部５１の表示領域の中央部付近に、高画質モードキー１０９及び高速モードキー１１０のモード設定キー、さらに、原稿読取所要時間表示キー１１１を表示させる（Ｓ２）。
【００６４】
高画質モードキー１０９は、ユーザによって押下されると、タッチパネル機能により、上記高画質モード（両面反転読取モード）での原稿両面読取指示を受け付ける。同様に、高速モードキー１１０は、ユーザによる押下に基づいて、上記高速モード（両面同時読取モード）での原稿両面読取指示を受け付ける。また、原稿読取所要時間表示キー１１１は、ユーザによる押下に基づいて、当該キー１１１の押下時点で原稿載置台２１１に載置された原稿の全てを高画質モード及び高速モードで読み取った場合における各モード毎の原稿読取所要時間を表示部５１に表示する指示をユーザから受け付ける。
【００６５】
表示部５１に上記Ｓ２の表示が行われているときに、ユーザによって原稿読取所要時間表示キー１１１が押下されると（Ｓ３でＹＥＳ）、原稿読取所要時間検知部６１３の原稿厚さ検出部６１４が、上述した検出方法により、原稿載置台２１１に載置されている原稿の厚さを検出する（Ｓ４）。そして、所要時間検出部６１５が、上述した検出方法により、当該検出された原稿の厚さに基づいて、原稿載置台２１１に載置されている原稿の全てが高画質モード及び高速モードで読み取られた場合における各モードの原稿読取所要時間を検出する（Ｓ５）。制御部６１は、所要時間検出部６１５によって検出された高画質モード及び高速モードの各原稿読取所要時間を表示部５１に表示させる（Ｓ６）。例えば、制御部６１は、図１１に示すように、両面／分割画面に高画質モードキー１０９及び高速モードキー１１０を表示させると共に、高画質モードキー１０９及び高速モードキー１１０の下方に、各キーが示すモードによる原稿読取所要時間を表示させる。
【００６６】
上記図１１に示す表示部５１における高画質モード及び高速モードの各原稿読取所要時間の表示後に、ユーザによって高画質モードキー１０９が押下された場合（Ｓ７で「高画質モード」）、モード設定部６１１は原稿読取動作を高画質モード（両面反転読取モード）に設定し、更にユーザによりスタートボタン５５が押下されると、制御部６１は、原稿給紙部２１に対して原稿の取り込みを指示する信号を出力し、原稿給紙部２１が原稿載置台２１１に載置された原稿を取り込み（Ｓ８）、ＣＣＤ２２９が下方に配置される読取窓２３０に向けて原稿を搬送する。このとき、原稿給紙部２１は、原稿の最上部の原稿から給紙する（以下、各実施形態について同様）。操作部５のスタートボタン５５が特許請求の範囲の読取開始指示受付部の一例であり、高画質モードキー１０９及び高速モードキー１１０が特許請求の範囲のモード選択指示受付部の一例である。
【００６７】
ＣＣＤ２２９は、読取窓２３０まで搬送されてきた原稿の表面を読み取る（Ｓ９）。この原稿表面の読取後、反転機構が当該原稿を表裏反転して読取窓２３０（ＣＣＤ２９）に再搬送する（Ｓ１０）。続けてＣＣＤ２２９が、読取窓２３０まで再搬送されてきた原稿の裏面を読み取り（Ｓ１１）、原稿給紙部２１は、当該表裏面読取後の原稿を排紙トレイ２１５に排出する（Ｓ１２）。制御部６１は、Ｓ８乃至Ｓ１２の処理を、原稿載置台２１１に載置されている全ての原稿に対して繰り返す。
【００６８】
次に制御部６１は、画像処理部６４に対して、ＣＣＤ２２９によって取得された各原稿表裏面の画像データについて必要な画像処理を行わせ、当該画像処理後の画像データに基づいて、記録紙の表裏面に、対応する画像データの画像形成を記録部４０に行わせる（Ｓ１３）。当該Ｓ１３の画像形成処理は、必ずしも、原稿載置台２１１に載置されている全ての原稿に対してＳ８乃至Ｓ１２の処理が終了してから行われなければならないものではなく、制御部６１は、各原稿に対するＳ８乃至Ｓ１２の処理中であっても、画像形成が可能な画像データについての記録紙への画像形成処理（Ｓ１３）を開始させるようにしてもよい。
【００６９】
また、Ｓ７においてユーザによって高速モードキー１１０が押下された場合（Ｓ７で「高速モード」）、モード設定部６１１は原稿読取動作を高速モード（両面同時読取モード）に設定し、制御部６１は、原稿給紙部２１に対して原稿の取り込みを指示する信号を出力し、原稿給紙部２１が原稿載置台２１１に載置された原稿を取り込み（Ｓ１４）、ＣＣＤ２２９及びＣＩＳ２３１による読取位置に向けて原稿を搬送する。原稿給紙部２１による当該一回の原稿搬送動作中に、ＣＣＤ２２９は、読取窓２３０まで搬送されてきた原稿の表面を読み取り、ＣＩＳ２３１が当該原稿の裏面を読み取る（Ｓ１５）。原稿給紙部２１は、当該表裏面読取後の原稿を排紙トレイ２１５に排紙する（Ｓ１２）。制御部６１が、Ｓ１４，Ｓ１５，Ｓ１２の処理を、原稿載置台２１１に載置されている全ての原稿に対して繰り返す処理と、各原稿表裏面の画像データに基づく画像形成処理（Ｓ１３）は、高画質モードの場合と同様に行われる。
【００７０】
一方、上記Ｓ３において、ユーザによって原稿読取所要時間表示キー１１１が押下されず、高画質モードキー１０９又は高速モードキー１１０が押下された場合は（Ｓ３でＮＯ）、Ｓ４乃至Ｓ６の処理をスキップして、Ｓ７の処理に移り、制御部６１は、ユーザによって押下された高画質モードキー１０９又は高速モードキー１１０が受け付けた指示の示すモードで、原稿読取動作を行わせる（Ｓ７乃至Ｓ１３、Ｓ１４，Ｓ１５）。
【００７１】
なお、上記実施形態においては、本発明の要点ではないため、特に説明していないが、読み取り後の各原稿は、フェイスダウン状態で揃って排紙トレイ２１５に排出されるように、反転機構及び原稿給紙部２１が原稿面を置換した後に排出される。
【００７２】
次に、複合機１による原稿読取処理の第２実施形態を説明する。図１２は、複合機１による原稿読取処理の第２実施形態を示すフローチャートである。図１３及び図１４は、表示部５１の画面例を示したものである。なお、以下の説明では、スキャナ部２２をＣＣＤ２２９として表示する。なお、第１実施形態と同様の処理は説明を省略する。
【００７３】
この第２実施形態では、上記図１０に示す両面／分割画面で、例えば高画質モードキー１０９がユーザによる操作部５の操作で選択され、高画質モードでの原稿読取の指示がキー１０９等に受け付けられたとき（Ｓ２２で「高画質モード」）、制御部６１は、図１３に示すように、当該両面／分割画面に、ユーザに対して所望の原稿読取終了時間（原稿載置台２１１に載置された全ての原稿の読取を終了するまでの時間（すなわち、ユーザが当該原稿の読み取りを終わらせたい時間））の入力を促す旨のメッセージを表示させる。
【００７４】
上記図１３に示す両面／分割画面の表示時に、ユーザが操作部５のテンキー等の操作で所望の原稿読取終了時間（例えば秒単位）を入力すると、制御部６１は当該図１３に示す両面／分割画面のユーザ所望読取時間表示領域Ｄに、当該入力されたユーザ所望の原稿読取終了時間を表示させ、さらにユーザが当該画面中のＯＫキー１１３を押下した場合（Ｓ２３でＹＥＳ）、原稿読取所要時間検知部６１３の原稿厚さ検出部６１４が、上述した検出方法により、原稿載置台２１１に載置されている原稿の厚さを検出する（Ｓ２４）。そして、所要時間検出部６１５が、上述した検出方法により、当該検出された原稿の厚さに基づいて、原稿載置台２１１に載置されている原稿の全てが高画質モードで読み取られた場合における原稿読取所要時間を検出する（Ｓ２５）。
【００７５】
この高画質モードについての原稿読取所要時間の検出後、制御部６１は、当該高画質モードでの原稿読取所要時間が、Ｓ２３で入力されたユーザ所望の原稿読取終了時間よりも短いか否かを判断する（Ｓ２６）。ここで、Ｓ２３で入力されたユーザ所望の原稿読取終了時間が、当該高画質モードでの原稿読取所要時間よりも短い場合、（Ｓ２６でＹＥＳ）、制御部６１は、例えば図１４に示すように、高速モード又は高画質モードの選択を促すメッセージを表示部５１に表示させる（Ｓ２７）。すなわち、高画質モードでの原稿読取動作では、ユーザ所望の時間内に原稿読取を終了できないため、制御部６１により、表示部５１に、高速モードへの切り替えを促すメッセージが表示される。この図１４に示す画面では、高速モードへの切り替え指示を受け付ける高速モード切替キー１１２と、高画質モードでの原稿読取の実行指示を受け付ける高画質モード指示キー１１３とが、制御部６１により表示部５１に表示される。
【００７６】
そして、ユーザにより高速モード切替キー１１２が押下された場合（Ｓ２８で「高速モード」）、制御部６１は、第１実施形態で示したＳ１４，Ｓ１５，Ｓ１２，Ｓ１３の処理による高速モードでの原稿読取及び画像形成処理を、原稿給紙部２１、ＣＣＤ２２９及びＣＩＳ２３１等の所要各部に実行させる（Ｓ３０）。
【００７７】
一方、ユーザにより高画質モード指示キー１１３が押下された場合（Ｓ２８で「高画質モード」）、制御部６１は、第１実施形態で示したＳ８乃至Ｓ１３の処理による高画質モードでの原稿読取及び画像形成処理を、原稿給紙部２１、反転機構及びＣＣＤ２２９等の所要各部に実行させる（Ｓ２９）。
【００７８】
また、Ｓ２３においてユーザによる所望の原稿読取終了時間の入力がなかった場合は（Ｓ２３でＮＯ）、制御部６１は、Ｓ２４乃至Ｓ２８の処理をスキップして、Ｓ２９の高画質モードでの原稿読取及び画像形成の処理を行わせる。また、Ｓ２６においてユーザ所望の原稿読取終了時間が高画質モードでの原稿読取所要時間以上である場合は（Ｓ２６でＮＯ）、制御部６１は、Ｓ２７及びＳ２８の処理をスキップして、Ｓ２９の高画質モードでの原稿読取及び画像形成の処理を行わせる。
【００７９】
次に、複合機１による原稿読取処理の第３実施形態を説明する。図１５は、複合機１による原稿読取処理の第３実施形態を示すフローチャートである。なお、以下の説明では、スキャナ部２２をＣＣＤ２２９として表示する。なお、第１又は第２実施形態と同様の処理は説明を省略する。
【００８０】
上記第２実施形態は、高画質モードでの原稿読取動作が開始される前に、ユーザが所望の原稿読取終了時間を入力し、当該入力された原稿読取終了時間内に高画質モードで原稿読取が終了しない場合に高速モードへの切替処理が行われるものであるが、第３実施形態は、高画質モードでの原稿読取及び画像形成処理が開始された後に、ユーザから所望の原稿読取終了時間が入力され、当該入力された原稿読取終了時間内に高画質モードで原稿読取が終了しない場合に高速モードへの切替処理が行われるものである。
【００８１】
図１５を参照して説明すると、第３実施形態では、上記図１０に示す両面／分割画面で、例えば高画質モードキー１０９がユーザによる操作部５の操作で選択され、高画質モードでの原稿読取の指示がキー１０９等に受け付けられたとき（Ｓ４２で「高画質モード」）、制御部６１は、第１実施形態で示したＳ８乃至Ｓ１３の処理による高画質モードでの原稿読取及び画像形成処理を、原稿給紙部２１、反転機構及びＣＣＤ２２９等の所要各部に開始させる（Ｓ４３）。
【００８２】
このとき、制御部６１は、図１６に示すように、コピー動作中であることを示す表示画面を表示部５１に表示させ、この表示画面中に、希望読取時間入力キー１２０を表示させる。ユーザによる操作で希望読取時間入力キー１２０が押下されると、制御部６１は、図１７に示すように、当該表示画面に、ユーザに対して所望の原稿読取終了時間の入力を促す旨のメッセージを表示させる。この図１７に示す表示画面の表示時に、ユーザが操作部５のテンキー等の操作で所望の原稿読取終了時間を入力すると、制御部６１は当該図１７に示す表示画面のユーザ所望読取時間表示領域Ｄに、当該入力されたユーザ所望の原稿読取終了時間を表示させ、ユーザが当該画面中のＯＫキー１１３を押下した場合（Ｓ４４でＹＥＳ）、第２実施形態と同様にして高画質モードの原稿読取所要時間検出処理が行われる（Ｓ４５及びＳ４６）。但し、この第３実施形態の場合、原稿読取所要時間検知部６１３は、当該ユーザからの原稿読取終了時間の入力が受け付けられた時点で原稿載置台２１１に載置されている全ての原稿についての高画質モードによる原稿読取所要時間を検知する。
【００８３】
ここで、Ｓ４４で入力されたユーザ所望の原稿読取時間が、当該高画質モードでの原稿読取所要時間よりも短い場合、（Ｓ４７でＹＥＳ）、制御部６１は、例えば上記図１４に示すように、高速モード又は高画質モードの選択を促すメッセージを表示部５１に表示させる（Ｓ４８）。但し、このメッセージ表示中も、制御部６１は、高画質モードでの原稿読取動作を原稿給紙部２１、反転機構及びＣＣＤ２２９等に継続させておく。このように、制御部６１が、高画質モードでの原稿読取動作を継続させることで、ユーザが高速モードに切り替えるか否かを思案している間も原稿読取動作が行われることになるので、ユーザが高速モードに切り替えた場合であっても、或いは高画質モードを続行させた場合であっても、原稿読取を早期に終了させることができる。
【００８４】
そして、制御部６１は、ユーザにより高速モード切替キー１１２が押下された場合（Ｓ４９で「高速モード」）、上述した高速モードでの原稿読取及び画像形成処理を所要各部に実行させ（Ｓ５０）、ユーザにより高画質モード指示キー１１３が押下された場合（Ｓ４９で「高画質モード」）、上述した高画質モードでの原稿読取及び画像形成処理を所要各部に続行させる（Ｓ４３）。制御部６１は、高画質モードを続行させる場合には、図１６に示した表示画面を再び表示部５１に表示させ、高画質モードでの原稿読取動作が終了するまで、ユーザ所望の原稿読取終了時間に基づく上記一連の処理（Ｓ４４乃至Ｓ４９）を行うようにする。
【００８５】
但し、制御部６１は、ユーザが高画質モードから高速モードに切り替えるか否かの判断に要する時間以内で、原稿載置台２１１に載置されている残りの原稿の全ての読取動作が終了すると判断した場合、表示部５１に表示している図１６に示す表示画面における希望読取時間入力キー１２０の表示を中止する等により、希望読取時間入力キー１２０によるユーザからの所望原稿読取終了時間の入力を受け付けが行われないようにしてもよい。例えば、制御部６１は、ユーザが高画質モードから高速モードに切り替えるか否かの判断に要する時間として予め定められた時間Ｔ３（例えば、10秒）を記憶しておき、高画質モードで１枚の原稿の両面を読み取るために必要な時間ｔ１、原稿載置台２１１に載置されている残りの原稿枚数ＣＮ２との関係が、下記（５）式を満たすに到った以降は、ユーザからの所望原稿読取終了時間の入力を受け付けが行われないようにしてもよい。
Ｔ３≧ｔ１×ＣＮ２      （５）
【００８６】
また、当該第３実施形態では、制御部６１が、Ｓ４４で入力されたユーザ所望の原稿読取時間が、当該高画質モードでの原稿読取所要時間よりも短いと判断し（Ｓ４７でＹＥＳ）、ユーザからのモード選択指示を待っている間も（Ｓ４８，Ｓ４９）、高画質モードでの原稿読取動作を継続させるようにしているが、制御部６１は、ユーザ所望の原稿読取時間が高画質モードでの原稿読取所要時間よりも短いと判断した時点で、高画質モードでの原稿読取動作を一時中断させた状態として、ユーザからのモード選択指示を待つようにしてもよい。
【００８７】
なお、第２及び第３実施形態では、ユーザ所望の原稿読取終了時間が高画質モードでの原稿読取所要時間よりも短い場合（図１２のＳ２６でＹＥＳ，図１５のＳ４７でＹＥＳ）、制御部６１は、高速モード又は高画質モードの選択を促すメッセージを表示部５１に表示させ（図１２のＳ２７，図１５のＳ４８）、この後にユーザから選択されたモードで原稿読取動作を行わせるが（図１２のＳ２８，図１５のＳ４９）、制御部６１は、これらの処理を行わず、ユーザ所望の原稿読取終了時間が高画質モードでの原稿読取所要時間よりも短いと判断したときに（図１２のＳ２６でＹＥＳ，図１５のＳ４７でＹＥＳ）、直ちに高速モードに切り替えて原稿読取動作を行わせるようにしてもよい。
【００８８】
なお、本発明は上記実施の形態の構成に限られず種々の変形が可能である。例えば、図１２に示した第２実施形態におけるＳ２１とＳ２２の間、又は図１５に示した第３実施形態におけるＳ４１とＳ４２の間に、図６に示した第１実施形態のＳ２乃至Ｓ６の処理を挿入することで、ユーザによる操作に従って、制御部６１が、第１実施形態に示した原稿読取所要時間の表示処理と、第２及び第３実施形態に示したユーザ所望の原稿読取終了時間に応じたモード切替処理とを選択的に行わせたり、或いは、当該原稿読取所要時間の表示処理及びモード切替処理の両方を行わせるようにしてもよい。
【００８９】
また、上記実施形態では、原稿読取所要時間検知部６１３は、昇降部材２０１の上昇開始から上昇停止までの駆動モータ２０２の回転数（パルス数）から原稿厚さを検出し、当該原稿厚さに基づいて両面反転読取モード及び両面同時読取モードでの原稿読取所要時間を検知するが、原稿読取所要時間の検知方法はこれに限定されるものではなく、他の方式によってもよい。例えば、(1)原稿給紙部２１に、発光部及び当該発光部が発光した光の反射光を受光する受光部を備える光センサを、原稿載置台２１１上に載置された原稿の上方から当該原稿に対して光を照射可能な状態として設け、さらに、当該光センサの発光部による発光時から受光部による反射光の受光時までの時間ｔ３を計測するタイマと、計測される各時間ｔ３に対応付けられたそれぞれの原稿厚さとを記憶する原稿厚さ記憶テーブルとを備えるようにし、原稿厚さ検出部６１４が、計測された時間ｔ３に対応する原稿厚さを原稿厚さ記憶テーブルから読み出すことで、原稿載置台２１１に載置されている原稿厚さを検出するようにしてもよい。当該原稿厚さからの原稿読取所要時間算出方法は上記実施形態と同様である。
【００９０】
また、(2)原稿給紙部２１に、原稿載置台２１１上に載置された原稿の重量wを検出する原稿重量センサ２１９（図１）を設け、さらに、上記原稿種類特定部６１５１と、各種類の原稿１枚当たりの重量w1を記憶する単位原稿重量記憶部と、所要時間算出部６１５３とを設け、所要時間算出部６１５３が、原稿種類特定部６１５１によって特定された原稿種類の重量w1を単位原稿重量記憶部から読み出し、原稿重量センサ２１９検出された重量wと当該読み出した重量w1とから原稿枚数を算出し、この算出した原稿枚数に基づいて上記各モードでの原稿読取所要時間を算出するようにしてもよい。
【００９１】
なお、原稿重量センサ２１９はその上端部が原稿トレイ２１１の原稿載置面に位置するように設置され、原稿トレイ２１１に原稿が載置されると、原稿重量センサ２１９の上端部がその原稿の全重量を支持し、原稿の重量を検出する構造となっている。また原稿重量センサ２１９は、検出した重量を制御部６１（原稿読取所要時間検知部６１３）へ出力する。原稿重量センサ２１９としては、例えばロードセルが使用される。ロードセルの詳しい構造については周知の技術であるため説明を省略する。尚、原稿重量センサ２１９としてロードセルを用いる理由は、原稿用紙１枚の微小な重量を検出可能なためによるが、原稿重量センサ２１９の構成はロードセルに限定されるものではなく、原稿用紙１枚の微小な重量を検出可能なセンサであれば他のセンサであってもよい。
【００９２】
また、上記実施形態では、複合機１でのコピー動作時における動作を例にして原稿読取動作時の処理を説明しているが、本発明は当該例に限定されず、スキャナ動作やファクシミリ動作における原稿読取動作に上述した各実施形態の原稿読取動作時の処理を適用することが可能である。
【００９３】
また、上記実施形態では、特許請求の範囲における第１読取部をスキャナ部２２２（ＣＣＤ２２９）とし、第２読取部をＣＩＳ２３１として説明しているが、これに限られず、第１及び第２読取部を、スキャナ部２２２（ＣＣＤ２２９）又はＣＩＳ２３１のいずれで構成することも可能である。
【００９４】
また、上記実施形態では、本発明に係る画像読取装置及び画像形成装置の構成及び処理の実施形態を図１乃至図１７に示したが、これらはあくまでも一例に過ぎず、本発明に係る画像読取装置及び画像形成装置を上述した構成及び制御に限定する趣旨ではない。
【図面の簡単な説明】
【００９５】
【図１】本発明に係る画像形成装置の一実施形態である複合機の内部構成を模式的に示した縦断面図である。
【図２】操作部の正面図の一例である。
【図３】図１に示す複写機の原稿給紙部の一例を示す斜視図である。
【図４】複合機の電気的構成を示すブロック図である。
【図５】原稿読取所要時間検知部の構成を示すブロック図である。
【図６】複合機１による原稿読取処理の第１実施形態を示すフローチャートである。
【図７】表示部の画面例を示したものである。
【図８】表示部の画面例を示したものである。
【図９】表示部の画面例を示したものである。
【図１０】表示部の画面例を示したものである。
【図１１】表示部の画面例を示したものである。
【図１２】複合機による原稿読取処理の第２実施形態を示すフローチャートである。
【図１３】表示部の画面例を示したものである。
【図１４】表示部の画面例を示したものである。
【図１５】複合機による原稿読取処理の第３実施形態を示すフローチャートである。
【図１６】表示部の画面例を示したものである。
【図１７】表示部の画面例を示したものである。
【符号の説明】
【００９６】
１          複合機
２          画像読取装置
３          装置本体
５          操作部
２１        原稿給紙部
２０１      昇降部材
２０２      駆動モータ
２１１      原稿載置台
２１２      ピックアップローラ
２２        スキャナ部
２２９      ＣＣＤ
２３１      ＣＩＳ
４０        記録部
５１        表示部
５２        タッチパネル
６１        制御部
６１１      モード設定部
６１３      原稿読取所要時間検知部
６１４      原稿厚さ検出部
６１５      所要時間検出部
６１５１    原稿種類特定部
６１５２    単位原稿厚記憶部
６１５３    所要時間算出部
１０９      高画質モードキー
１１０      高速モードキー
１１１      原稿読取所要時間表示キー
１１２      高速モード切替キー
１１３      高画質モード指示キー
【図１】
0004903661.tif 000002
【図２】
0004903661.tif 000003
【図３】
0004903661.tif 000004
【図４】
0004903661.tif 000005
【図５】
0004903661.tif 000006
【図６】
0004903661.tif 000007
【図１２】
0004903661.tif 000008
【図１５】
0004903661.tif 000009
【図７】
0004903661.tif 000010
【図８】
0004903661.tif 000011
【図９】
0004903661.tif 000012
【図１０】
0004903661.tif 000013
【図１１】
0004903661.tif 000014
【図１３】
0004903661.tif 000015
【図１４】
0004903661.tif 000016
【図１６】
0004903661.tif 000017
【図１７】
0004903661.tif 000018